(57)【要約】表示部を備える装置において動作し、表示部を備える装置とは異なる他の装置で撮影された動画よりもデータサイズが小さい動画を構成する複数の特定のフレーム画像を表示部に表示させる情報処理装置である。【選択図】図４
2018212013.tif 000002
【特許請求の範囲】
【請求項１】
表示部を備える装置において動作し、前記表示部を備える装置とは異なる他の装置で撮影された動画よりもデータサイズが小さい動画を構成する複数の特定のフレーム画像を前記表示部に表示させる
情報処理装置。
【請求項２】
前記特定のフレーム画像は、前記複数の連続するフレーム画像から一定の間隔を開けて抽出されたフレーム画像である
請求項１に記載の情報処理装置。
【請求項３】
前記表示部に表示されている複数の前記特定のフレーム画像のうちの一のフレーム画像に対して前記ユーザから前記一定の間隔としての時間間隔の変更を指示する所定の入力がなされると前記一定の間隔を変化させて前記フレーム画像を表示させる
請求項２に記載の情報処理装置。
【請求項４】
前記表示部は入力部と一体的に構成されたタッチパネルであり、
前記所定の入力は、前記タッチパネルに対して行なわれる前記一のフレーム画像を略中心としたピンチイン操作またはピンチアウト操作である
請求項３に記載の情報処理装置。
【請求項５】
前記所定の入力がピンチイン操作である場合、前記時間間隔を小さくする
請求項４に記載の情報処理装置。
【請求項６】
前記所定の入力がピンチアウト操作である場合、前記時間間隔を大きくする
請求項４に記載の情報処理装置。
【請求項７】
前記一のフレーム画像に対するユーザからのピンチイン操作に応じて前記時間間隔を小さくして前記フレーム画像を表示させた場合に、前記一のフレーム画像は表示位置を固定された状態で表示される
請求項５に記載の情報処理装置。
【請求項８】
前記一のフレーム画像に対する前記ユーザからのピンチアウト操作に応じて前記時間間隔を大きくして前記フレーム画像を表示させた場合に、前記一のフレーム画像は表示位置を固定された状態で表示される
請求項６に記載の情報処理装置。
【請求項９】
前記フレーム画像の表示とともに該フレーム画像に対応するメタ情報を前記表示部に表示させる
請求項１に記載の情報処理装置。
【請求項１０】
前記特定のフレーム画像は、前記複数の連続するフレーム画像から前記メタ情報に基づいて抽出されたフレーム画像である
請求項９に記載の情報処理装置。
【請求項１１】
前記メタ情報は、前記表示部を備える装置とは異なる他の装置で取得されたものである
請求項９に記載の情報処理装置。
【請求項１２】
前記動画は前記表示部を備える装置とは異なる１または複数の他の装置で撮影された動画である
請求項１に記載の情報処理装置。
【請求項１３】
前記ユーザからの前記動画を編集するための編集点情報の入力を受け付け、
前記編集点情報を前記他の装置に送信する
請求項１に記載の情報処理装置。
【請求項１４】
前記編集点情報は前記動画中におけるシーンの開始点を示すイン点および終了点を示すアウト点となるフレーム画像を示す情報である
請求項１３に記載の情報処理装置。
【請求項１５】
前記表示部に表示された、前記イン点となる前記フレーム画像と前記アウト点となる前記フレーム画像を強調して表示する
請求項１４に記載の情報処理装置。
【請求項１６】
前記編集点情報は、前記イン点となる前記フレーム画像より所定時間前の再生されるフレーム画像および前記アウト点となる前記フレーム画像より所定時間後に再生されるフレーム画像を含む
請求項１５に記載の情報処理装置。
【請求項１７】
前記イン点となる前記フレーム画像と前記アウト点となる前記フレーム画像に対する強調表示を維持する
請求項１６に記載の情報処理装置。
【請求項１８】
前記動画は手術を撮影した動画であり、前記動画を構成するフレーム画像と共に、前記手術に関連した情報を前記表示部に表示させる
請求項１に記載の情報処理装置。
【請求項１９】
表示部を備える装置において、前記表示部を備える装置とは異なる他の装置で撮影された動画よりもデータサイズが小さい動画を構成する複数の特定のフレーム画像を前記表示部に表示させる
情報処理方法。
【請求項２０】
表示部を備える装置において、前記表示部を備える装置とは異なる他の装置で撮影された動画よりもデータサイズが小さい動画を構成する複数の特定のフレーム画像を前記表示部に表示させる情報処理方法をコンピュータに実行させる
情報処理プログラム。
【発明の詳細な説明】
【技術分野】
【０００１】
本技術は、情報処理装置、情報処理方法および情報処理プログラムに関する。
【背景技術】
【０００２】
現在、撮像装置などで撮影した動画を、映像作品にする、インターネット上のサービスにアップロードする、友人に見せるなどのために編集することは多くのユーザが行っている。【０００３】
そのような動画の編集には通常パーソナルコンピュータ、端末装置などで動作する動画編集再生プログラムが用いられる（特許文献１）。そのような動画編集用プログラムのユーザインターフェースでは動画を構成する連続するフレーム画像を全て表示し、スクロール操作で所望のシーンを見つけるのが通常である。
【先行技術文献】
【特許文献】
【０００４】
【特許文献１】特開２０１６−２０８４４４号公報
【発明の概要】
【発明が解決しようとする課題】
【０００５】
しかし、録画時間が長い動画や似たようなシーンが続く動画を編集する場合、そのような方法だと所望のシーンを見つけるのに時間がかかってしまう、という問題がある。【０００６】
本技術はこのような問題点に鑑みなされたものであり、動画における所望のシーンを容易に早く見つけることができる情報処理装置、情報処理方法および情報処理プログラムを提供することを目的とする。
【課題を解決するための手段】
【０００７】
上述した課題を解決するために、第１の技術は、表示部を備える装置において動作し、表示部を備える装置とは異なる他の装置で撮影された動画よりもデータサイズが小さい動画を構成する複数の特定のフレーム画像を表示部に表示させる情報処理装置である。【０００８】
また、第２の技術は、表示部を備える装置において、表示部を備える装置とは異なる他の装置で撮影された動画よりもデータサイズが小さい動画を構成する複数の特定のフレーム画像を表示部に表示させる情報処理方法である。【０００９】
さらに、第３の技術は、表示部を備える装置において、表示部を備える装置とは異なる他の装置で撮影された動画よりもデータサイズが小さい動画を構成する複数の特定のフレーム画像を表示部に表示させる情報処理方法をコンピュータに実行させる情報処理プログラムである。
【発明の効果】
【００１０】
本技術によれば、動画における所望のシーンを容易に早く見つけることができる。なお、ここに記載された効果は必ずしも限定されるものではなく、明細書中に記載されたいずれかの効果であってもよい。
【図面の簡単な説明】
【００１１】
【図１】本技術に係る動画編集システムの撮像装置の構成を示すブロック図である。
【図２】動画編集の概要を説明する図である。
【図３】動画編集システムの端末装置の構成を示すブロック図である。
【図４】動画編集用ユーザインターフェースの構成を示す図である。
【図５】表示されるフレーム画像の時間間隔の変更を説明する図である。
【図６】表示されるフレーム画像の時間間隔の変更を説明する図である。
【図７】イン点とアウト点の指定を説明する図である。
【図８】エディットリストの概要を説明する図である。
【図９】端末装置による処理の流れを示すフローチャートである。
【図１０】第２の実施の形態における撮像装置の構成を示すブロック図である。
【図１１】第２の実施の形態における動画編集用ユーザインターフェースの構成を示す図である。
【図１２】第３の実施の形態における動画編集用ユーザインターフェースの構成を示す図である。
【図１３】手術室システムの全体構成を概略的に示す図である。
【図１４】集中操作パネルにおける操作画面の表示例を示す図である。
【図１５】手術室システムが適用された手術の様子の一例を示す図である。
【図１６】図１５に示すカメラヘッド及びＣＣＵの機能構成の一例を示すブロック図である。
【図１７】手術室システムにおいて撮影された動画のフレーム画像とメタ情報の表示態様を示す図である。
【図１８】手術室システムにおいて撮影された動画のフレーム画像とメタ情報の表示態様を示す図である。
【図１９】手術室システムにおいて撮影された複数の動画のフレーム画像の表示態様を示す図である。
【図２０】変形例に係る動画編集用ユーザインターフェースの構成を示す図である。
【発明を実施するための形態】
【００１２】
以下、本技術の実施の形態について図面を参照しながら説明する。なお、説明は以下の順序で行う。
＜１．第１の実施の形態＞
［１−１．動画編集システムの構成］
［１−２．動画編集用ユーザインターフェースの構成］
＜２．第２の実施の形態＞
［２−１．動画編集システムの構成］
［２−２．動画編集用ユーザインターフェースの構成］
＜３．第３の実施の形態＞
［３−１．動画編集システムの構成］
［３−２．動画編集用ユーザインターフェースの構成］
＜４．応用例＞
＜５．変形例＞
【００１３】
＜１．第１の実施の形態＞
［１−１．動画編集システムの構成］
まず、図１を参照して本実施の形態に係る動画編集システムの構成について説明する。動画編集システムは撮像装置１００と端末装置２００とから構成されている。この動画編集システムでは、まず、撮像装置１００で動画を撮影し、その動画（以下、元動画と称する）データよりもファイルサイズを小さくした動画データであるプロキシファイルを端末装置２００に送信する。次に、端末装置２００においてプロキシファイルからなる動画（以下、プロキシ動画と称する）を構成する複数のフレーム画像を表示してユーザに提示し、ユーザから動画編集操作を受け付ける。そして、その動画編集操作の結果を撮像装置１００に送信し、撮像装置１００が動画編集処理を行うものである。
【００１４】
撮像装置１００は、制御部１０１、撮像光学系１０２、レンズ駆動ドライバ１０３、撮像素子１０４、画像信号処理部１０５、メモリ１０６、記憶部１０７、表示部１０８、入力部１０９、通信部１１０、マイクロホン１１１、動画作成部１１２および動画編集部１１３を備えて構成されている。
【００１５】
制御部１０１は、ＣＰＵ（Central Processing Unit）、ＲＡＭ（Random Access Memory）およびＲＯＭ（Read Only Memory）などから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって撮像装置１００全体の制御を行う。
【００１６】
撮像光学系１０２は、被写体からの光を撮像素子１０４に集光するための撮影レンズ、撮影レンズを移動させてフォーカス合わせやズーミングを行うための駆動機構、シャッタ機構、アイリス機構などから構成されている。これらは撮像装置１００本体の制御部１０１、レンズ駆動ドライバ１０３からの制御信号に基づいて駆動される。撮像光学系１０２を介して得られた被写体の光画像は、撮像装置１００本体が備える撮像素子１０４上に結像される。
【００１７】
レンズ駆動ドライバ１０３は、例えばマイコンなどにより構成され、撮像装置１００本体の制御部１０１の制御に従い撮影レンズを光軸方向に沿って所定量移動させることにより、目標とする被写体に合焦するようにオートフォーカスを行なう。また、制御部１０１からの制御に従い、撮像光学系１０２の駆動機構、シャッタ機構、アイリス機構などの動作を制御する。これにより、露光時間（シャッタースピード）の調整、絞り値（Ｆ値）などの調整がなされる。
【００１８】
撮像素子１０４は、被写体からの入射光を光電変換して電荷量に変換して、画素信号を出力する。そして、撮像素子１０４は画素信号をカメラ処理回路に出力する。撮像素子１０４としては、ＣＣＤ（Charge Coupled Device）、ＣＭＯＳ（Complementary Metal Oxide Semiconductor）などが用いられる。
【００１９】
画像信号処理部１０５は撮像素子１０４から出力された撮像信号に対して、ＣＤＳ（Correlated Double Sampling）処理によりＳ／Ｎ（Signal／Noise）比を良好に保つためのサンプルホールド、ＡＧＣ（Auto Gain Control）処理、Ａ／Ｄ（Analog/Digital）変換などを行ない、画像信号を作成する。
【００２０】
また、画像信号処理部１０５は、デモザイク処理、ホワイトバランス調整処理や色補正処理、ガンマ補正処理、Ｙ／Ｃ変換処理、ＡＥ（Auto Exposure）処理、解像度変換処理などの所定の信号処理を画像信号に対して施してもよい。
【００２１】
メモリ１０６は、揮発性メモリ、例えば、ＤＲＡＭ（Dynamic Random Access Memory）で構成されるバッファメモリである。メモリ１０６は画像信号処理部１０５によって所定の処理が施された画像データを一時的に蓄えておくものである。
【００２２】
記憶部１０７は、例えば、ハードディスク、ＳＤメモリカードなどの大容量記憶媒体である。撮像装置１００により撮影された静止画、動画は記憶部１０７に保存される。動画は、例えば、ＭＰＥＧ２（Moving Picture Experts Group2）、ＭＰＥＧ４などの形式で保存される。
【００２３】
表示部１０８は、例えば、ＬＣＤ（Liquid Crystal Display）、ＰＤＰ(Plasma Display Panel)、有機ＥＬ(Electro Luminescence)パネルなどにより構成された表示デバイスである。表示部１０８には、撮像装置１００のユーザインターフェース、メニュー画面、撮影中のモニタリング画像、記憶部１０７に記録された撮影画像、撮影済み動画などが表示される。
【００２４】
入力部１０９は、撮像装置１００本体に対して撮影指示、各種設定など入力するためのものである。入力部１０９に対してユーザから入力がなされると、その入力に応じた制御信号が生成されて制御部１０１に出力される。そして、制御部１０１はその制御信号に対応した演算処理や撮像装置１００の制御を行う。入力部１０９としては、レリーズボタン、撮影開始指示ボタン、電源オン／オフ切り替えのための電源ボタン、ズーム調整用の操作子などのハードウェアボタンの他、表示部１０８と一体に構成されたタッチパネルなどがある。
【００２５】
通信部１１０は、撮像装置１００と端末装置２００がプロキシファイル、エディットリストなど各種データの送受信を行なうための通信モジュールである。端末装置２００との通信は、ＵＳＢ（Universal Serial Bus）通信などの有線通信、Wi-Fiなどの無線ＬＡＮ（Local Area Network）、Bluetooth（登録商標）、ZigBeeなどの無線通信どちらであってもよい。
【００２６】
マイクロホン１１１は動画撮影の際に集音して音声信号を制御部１０１へ供給するものである。
【００２７】
動画作成部１１２は、画像信号処理部１０５で処理が施された一連のフレーム画像を動画として構成して、さらに音声データを対応付けて元動画を作成する。また、その元動画からプロキシファイルを作成する。
【００２８】
動画作成部１１２は、元動画データと比較してファイルサイズが小さくなるようにプロキシファイルを作成する。プロキシファイルのサイズを小さくする方法としては元動画のフレームレートを下げる、ビットレートを下げる、解像度を下げる、画サイズを小さくする、フレーム画像を間引くなどがある。これらのうち、いずれか１つを行ってもよいし、組み合わせてよりプロキシファイルのサイズが小さくなるようにしてもよい。
【００２９】
また、動画の種類に応じてプロキシファイルのサイズを小さくする方法を選択してもよい。例えば、テレビ番組を録画した動画を編集する際に、スタジオシーン、中継シーン、コマーシャルの区別さえわかればよい場合は解像度を被写体の人物が判別できないくらいまで下げてもよいため、ビットレートをより下げることができる。
【００３０】
プロキシファイルのサイズが大きいと、撮像装置１００から端末装置２００へのプロキシファイルの転送に長い時間を要し、撮影終了後から動画編集開始までの時間が長くなってしまう。プロキシファイルのサイズを小さくすることにより、撮像装置１００から端末装置２００へのプロキシファイルの転送時間を短くし、撮影終了後から動画編集開始までの時間を短くすることができる。
【００３１】
また、詳細は後述するが、本技術に係る動画編集用のユーザインターフェースではプロキシ動画を構成する複数のフレーム画像を一度に端末装置２００の表示部１０８に表示する。よって、プロキシファイルのサイズが大きいと、その表示のためのメモリの容量を圧迫して表示が遅延したり、表示に不具合が生じるおそれがあるため、ファイルサイズを小さくしたプロキシファイルを送信するのが好ましい。
【００３２】
動画編集部１１３は、端末装置２００から送信された動画編集操作の結果を受けて動画編集処理を行うものである。動画編集とは、図２に示すように、動画を構成するフレーム画像に対して、所望のシーンの開始点を意味するイン点と終了点を意味するアウト点を指定し、そのイン点とアウト点を参照してユーザの所望のシーンのみをつなぎ合わせた動画を作成することである。本実施の形態においては、端末装置２００でユーザからのイン点とアウト点の指定を受け付けてイン点とアウト点のリスト（以下、エディットリストと称する）を作成し、そのエディットリストを参照して撮像装置１００が動画編集処理を行う。エディットリストは特許請求の範囲における編集点情報に相当するものである。
【００３３】
動画作成部１１２および動画編集部１１３はプログラムで構成され、そのプログラムは、予め撮像装置１００内にインストールされていてもよいし、ダウンロード、記憶媒体などで配布されて、ユーザが自らインストールするようにしてもよい。そのプログラムを制御部１０１が実行することにより制御部１０１が動画作成部１１２および動画編集部１１３として機能するようにしてもよい。また、動画作成部１１２および動画編集部１１３は、プログラムによって実現されるのみでなく、その機能を有するハードウェアによる専用の装置、回路などを組み合わせて実現されてもよい。
【００３４】
次に図３を参照して、動画編集システムを構成する端末装置２００について説明する。端末装置２００としてはパーソナルコンピュータ、タブレット端末、スマートフォンなどが挙げられる。本実施の形態においては、端末装置２００はタッチパネルを備え、ユーザがタッチ操作で使用することができるタブレット端末であるものとする。
【００３５】
端末装置２００は、制御部２０１、記憶部２０２、通信部２０３、デコード部２０４、メモリ２０５、表示部２０６、入力部２０７、情報処理部２０８を備えている。
【００３６】
制御部２０１は、ＣＰＵ、ＲＡＭおよびＲＯＭなどから構成されている。ＲＯＭには、ＣＰＵにより読み込まれ動作されるプログラムなどが記憶されている。ＲＡＭは、ＣＰＵのワークメモリとして用いられる。ＣＰＵは、ＲＯＭに記憶されたプログラムに従い様々な処理を実行してコマンドの発行を行うことによって端末装置２００全体の制御を行う。
【００３７】
記憶部２０２は、例えば、ハードディスク、ＳＤメモリカードなどの大容量記憶媒体である。通信部２０３で受信したプロキシファイルは記憶部２０２に保存される。
【００３８】
通信部２０３は、端末装置２００と撮像装置１００とがプロキシファイル、エディットリストなど各種データの送受信を行なうための通信モジュールである。端末装置２００との通信は、ＵＳＢ通信などの有線通信、Wi-Fiなどの無線ＬＡＮ、Bluetooth（登録商標）、ZigBeeなどの無線通信どちらであってもよい。通信部２０３における通信により撮像装置１００から端末装置２００にプロキシファイルが送信される。
【００３９】
デコード部２０４は撮像装置１００から送信されたプロキシファイルをデコードしプロキシ動画とするものである。デコード部２０４によりデコードされたプロキシ動画を構成するフレーム画像、音声はメモリ２０５に展開される。
【００４０】
メモリ２０５は、情報処理部２０８により実行させる動画編集のための処理を行うワークメモリとして用いられるものである。
【００４１】
表示部２０６は、例えば、ＬＣＤ、ＰＤＰ、有機ＥＬパネルなどにより構成された表示デバイスである。表示部２０６には、端末装置２００のユーザインターフェース、メニュー画面、本技術に係る動画編集用ユーザインターフェースなどが表示される。
【００４２】
入力部２０７は、ユーザの端末装置２００に対する操作、動画編集用ユーザインターフェースの操作などの入力を受け付けるものである。入力部２０７に対してユーザから入力がなされると、その入力に応じた制御信号が生成されて制御部２０１、情報処理部２０８に出力される。そして、制御部２０１はその制御信号に対応した演算処理、端末装置２００の制御を行う。また情報処理部２０８は動画編集用ユーザインターフェースの制御を行う。入力部２０７としては、表示部２０６と一体に構成されたタッチパネル、トラックパッドやタッチパッドと称される表示部２０６とは一体となっていない平板状のセンサーを指でなぞって操作するポインティングデバイス、キーボード、マウスなどがある。本実施の形態においては、入力部２０７は表示部２０６と一体に構成されたタッチパネルであるものとする。
【００４３】
タッチパネルでは、操作面である画面上の複数の箇所に同時になされた操作のそれぞれを検出し、その接触位置を示す情報を出力することができる。また、タッチパネルは操作面に対して繰り返しなれた操作のそれぞれを検出し、そのそれぞれの接触位置を示す情報を出力することもできる。
【００４４】
これによりタッチパネルはいわゆるタップ操作、ダブルタップ操作、長押し操作、スワイプ操作、フリック操作、ピンチ操作などのユーザからの様々な入力、操作を受け付けて、それらを検出することができる。
【００４５】
タップ操作とは、ユーザの指などを操作面上に短時間１回だけ接触させる入力動作である。ダブルタップ操作とは、指などを操作面上に短い間隔で連続して２回接触させる入力動作である。これらは主に決定の入力などに用いられる。長押し操作とは、ユーザの指などを操作面上に接触させて所定時間その接触状態を維持する入力動作である。
【００４６】
スワイプ操作とは、なぞり操作とも称され、ユーザの指などを操作面上に接触させたまま移動させる入力動作である。フリック操作とは、ユーザの指など操作面上の１点を指示してから、そのまま任意の方向に素早くはじくようにする入力動作である。これにより、例えば、一画面に収まらない長いコンテンツの表示範囲を動かす、複数の画像を表示部１０８に表示させて見る際に、画像をめくるようにして切り替えることができる。
【００４７】
ピンチ操作は、まず、ユーザの２本の指などを同時に操作面上に接触させて、次にその２本の指などを開いたり、つまむように閉じたりする入力動作である。ピンチ操作により例えば、表示部２０６に表示されている領域を示す枠の拡大、縮小などの入力が可能となる。なお、ピンチ操作において、接触させた２本の指などを開く操作をピンチアウト操作、２本の指などを閉じる操作をピンチイン操作と称する。
【００４８】
入力部２０７としてのタッチパネルに対して入力がなされると、入力部２０７から制御部２０１および情報処理部２０８に対して接触位置を示す入力情報が供給される。
【００４９】
情報処理部２０８は、動画編集アプリケーションを実行することにより、動画編集用ユーザインターフェースにおけるフレーム画像の表示処理、ユーザの入力に応じた処理などを行う。情報処理部２０８による処理の詳細は後述する。情報処理部２０８は特許請求の範囲における情報処理装置に相当するものである。
【００５０】
情報処理部２０８はプログラムで構成され、そのプログラムは、予め端末装置２００内にインストールされていてもよいし、ダウンロード、記憶媒体などで配布されて、ユーザが自らインストールするようにしてもよい。そのプログラムを制御部２０１が実行することにより制御部２０１が情報処理部２０８として機能するようにしてもよい。また、情報処理部２０８は、プログラムによって実現されるのみでなく、その機能を有するハードウェアによる専用の装置、回路などを組み合わせて実現されてもよい。
【００５１】
動画編集システムを構成する撮像装置１００および端末装置２００は以上のようにして構成されている。
【００５２】
［１−２．動画編集用ユーザインターフェースの構成］
次に端末装置２００の表示部２０６に表示される動画編集用ユーザインターフェースおよびユーザによる動画編集操作について説明する。ここで行なわれる動画編集操作は、プロキシ動画におけるユーザの所望のシーンの開始点を意味するイン点とシーンの終了点を意味するアウト点のリストであるエディットリストを作成することである。動画編集用ユーザインターフェースの表示、ユーザからの入力に応じたユーザインターフェースの動作や変化の処理は情報処理部２０８により行なわれる。
【００５３】
まず、撮像装置１００による動画の撮影が終了するとユーザの指示を受けてまたは自動的に動画作成部１１２はプロキシファイルを作成し、通信部１１０と通信部２０３の通信によりそのプロキシファイルを端末装置２００に送信する。
【００５４】
なお、以下の説明では、端末装置２００の入力部２０７は表示部２０６と一体に構成されたタッチパネルであり、ユーザからの入力は指をタッチパネルに接触させて行うものであるとする。
【００５５】
図４は第１の実施の形態に係る動画編集用ユーザインターフェースを示すものである。ユーザインターフェースは、フレーム表示エリア３００、インジケータ３０１、スクロールバー３０２、スライダ３０３および決定ボタン３０４とから構成されている。
【００５６】
フレーム表示エリア３００はプロキシ動画を構成するフレーム画像を表示するものであり、縦３×横４の合計１２のエリアに分割されている。フレーム表示エリア３００は上段左端を開始位置とし、時系列に沿って上段右端に進み、中段左端に移り、中段右端に進み、下段左端に移り、下段右端に進むようにしてフレーム画像が表示される。
【００５７】
なお、フレーム表示エリア３００の分割数は１２に限定されるものではなく、それ以上でもそれ以下であってもよいし、プロキシ動画を構成するフレーム画像の数に応じて分割数を変更してもよい。なお、図４においてフレーム表示エリア３００に表示されている各フレーム画像の下における「・・分後のフレーム」という記載はそのような文字列がフレーム表示エリア３００に表示されているのではなく、説明の便宜上、表示されているフレーム画像がどのようなものであるかを示したものである。
【００５８】
プロキシ動画を構成するフレーム画像の数が一画面に表示されるフレーム表示エリア３００の分割個数以上である場合（図４の例では、フレーム画像の数が１２以上である場合）、表示部２０６にはフレーム表示エリア３００の上下にインジケータ３０１が表示される。
【００５９】
インジケータ３０１は、フレーム表示エリア３００に現在表示されているフレーム画像以外にもプロキシ動画を構成するフレーム画像があることを示している。ユーザがタッチパネルに対してスワイプ操作またはフリック動作を行うことによりインジケータ３０１が存在する方向にフレーム表示エリア３００をスクロールさせることができる。これにより、フレーム表示エリア３００に表示されているフレーム画像の以外のフレーム画像を表示させることができる。
【００６０】
スクロールバー３０２はフレーム表示エリア３００の右側に表示されており、スクロールバー３０２上にスライダ３０３が重畳表示されている。スライダ３０３の位置は現在フレーム表示エリア３００に表示されているフレーム画像が動画全体のどこに位置しているかを示している。
【００６１】
スライダ３０３の縦方向の幅はプロキシ動画を構成する全てのフレーム画像のうち、現在フレーム表示エリア３００に表示されているフレーム画像の割合、表示範囲を示している。ユーザがタッチパネルに対してスワイプ操作またはフリック動作を行うことによりフレーム表示エリア３００をスクロールさせた場合、そのスクロール方向と同様方向にスライダ３０３は移動する。
【００６２】
決定ボタン３０４は、ユーザが全てのイン点とアウト点の指定を終えた場合にそれらイン点およびアウト点をエディットリストとして登録することを指示するためのボタンである。
【００６３】
本実施の形態においては、フレーム表示エリア３００には時系列に沿ってプロキシ動画を構成する全てのフレーム画像が表示されるのではなく、所定の時間間隔を開けて抽出された特定のフレーム画像が並べて表示される。
【００６４】
図４Ａに示されるフレーム表示エリア３００に表示されているフレーム画像においては、上段左端のフレーム画像がプロキシ動画の再生開始時のフレーム画像であり、再生開始から１０分後に再生されるフレーム画像、２０分後に再生されるフレーム画像、・・・、１１０分後に再生されるフレーム画像が並べて表示されている。
【００６５】
図４Ａの状態からフレーム表示エリア３００を下方向にスクロールさせると図４Ｂに示す状態に遷移し、再生開始から１１０分後に再生されるフレーム画像に続く、再生開始から１２０分後に再生されるフレーム画像乃至再生開始から１５０分後に再生されるフレーム画像が表示される。再生開始から１４５分後に再生されるフレーム画像以降にもフレーム画像がある場合、フレーム表示エリア３００をさらに下方向にスクロールさせればそのフレーム画像が表示される。
【００６６】
図４Ｂの状態においてフレーム表示エリア３００を上方向にスクロールさせると図４Ａに示す状態となる。
【００６７】
このように本実施の形態においては、フレーム表示エリア３００にプロキシ動画を構成する全てのフレーム画像を表示するのではなく、特定のフレーム画像のみを表示している。図４の例では、その特定のフレーム画像は、プロキシ動画を構成する複数の連続するフレーム画像から動画の再生開始から一定の時間間隔（１０分）を開けて抽出されたフレーム画像となっている。
【００６８】
このようにプロキシ動画を構成する全てのフレーム画像を表示するのではなく、特定のフレーム画像のみを抽出して表示することにより、ユーザはひと目でまたはフレーム表示エリア３００のスクロール回数を減らして、容易に動画全体の構成、シーンの移り変わりなどを把握することができる。また、動画が長尺なものであっても、少ないスクロール数で動画の所望のシーンを見つけることができる。
【００６９】
プロキシ動画を構成する全てのフレーム画像を表示すると、動画全体の構成、シーンの移り変わりを把握するため、および、所望のシーンを見つけるためにユーザは多数回スクロールしなければならず、時間がかかる。本技術ではこの問題を解決することができる。
【００７０】
フレーム表示エリア３００に表示されているフレーム画像間の時間間隔はユーザからの入力により変更することができる。この点について図５および図６を参照して説明する。なお、図５および図６においては説明の便宜上、フレーム表示エリア３００に表示されるフレーム画像中の被写体を省略し、動画再生開始時からの経過時間を記載してある。
【００７１】
例えば、動画再生開始から５０分後に再生されるフレーム画像の付近にユーザがイン点としたいフレーム画像がある場合を考える。この場合、ユーザは再生開始から４０分後乃至５０分後、さらに再生開始から５０分後乃至６０分後の範囲に含まれるフレーム画像を確認する必要がある。図５Ａの状態ではフレーム画像は１０分間隔で表示されているので、その確認のためにはより細かい時間間隔でフレーム画像を表示させる必要がある。
【００７２】
この場合、図５Ｂおよび図５Ｃに示すように、ユーザが再生開始から５０分後に再生されるフレーム画像を略中心としてピンチイン操作を行うと、図６Ａに示すように、表示されているフレーム画像間の時間間隔を変更がされる。ピンチイン操作の場合、フレーム画像間の時間間隔が小さくなるように変更され、図６Ａでは、再生開始から２５分後、３０分後、３５分後、・・・、８０分後というように５分間隔で抽出されたフレーム画像が表示されている。
【００７３】
なお、ピンチイン操作の略中心となった５０分後に再生されるフレーム画像の表示位置を固定されており、位置は変化していない。
【００７４】
さらに、ユーザがピンチイン操作の指と指の間隔を広げると、図６Ｂに示すように、フレーム画像間の時間間隔がさらに小さくなり再生開始から４５分後、４６分後、４７分後、・・・、５６分後というように１分間隔で抽出されたフレーム画像が表示される。この状態においてもピンチイン操作の略中心となった５０分後に再生されるフレーム画像の表示位置を固定されており、位置は変化していない。
【００７５】
さらにユーザがピンチイン操作の指と指の間隔を広げると、図６Ｃに示すように、フレーム画像間の時間間隔がさらに小さくなり最終的に全てのフレーム画像を時系列に沿って表示させる状態となる。この状態においてもピンチイン操作の略中心となった５０分後に再生されるフレーム画像の表示位置を固定されており、位置は変化していない。
【００７６】
一方、逆にユーザは再生開始から５０分後に再生されるフレーム画像を略中心としてピンチアウト操作を行うことにより、フレーム画像間の時間間隔が狭くすることができる。図６Ｃに示す状態で、５０分後に再生されるフレーム画像を略中心としてピンチアウト操作を行うと、図６Ｂに示す状態となり、さらに、ピンチアウト操作の指と指の間隔を狭めていくと、図６Ａ、そして図５Ａに示す状態とへと遷移していく。このピンチアウト操作の場合もピンチアウト操作の略中心となった５０分後に再生されるフレーム画像の表示位置を固定されており、位置は変化していない。
【００７７】
スマートフォン、タブレット端末におけるピンチイン操作は通常、対象を拡大して細部／詳細を確認するために用いられる操作であり、ピンチアウト操作は通常、対象を縮小して全体／広い範囲を確認するための用いられる操作である。よって、ピンチイン操作で時間間隔を狭くしてプロキシ動画の詳細を確認し、ピンチアウト操作で時間間隔を広くしてプロキシ動画の全体／広い範囲を確認することにより、直感的にフレーム画像間の時間間隔を変更することができる。これにより、イン点またはアウト点とする所望のフレーム画像を容易に探し出すことができる。
【００７８】
なお、上述の説明においてはピンチイン操作、ピンチアウト操作でフレーム画像間の時間間隔が１０分、５分、１分と変化するように説明したが、それらはあくまで一例であり、時間間隔の変化はそれらの変化幅に限られず、どのような変化幅でもよい。また、ユーザが時間間隔の変化幅を設定できるようにしてもよい。さらに、ピンチイン操作およびピンチアウト操作における指と指の間隔とは関係なく、一回のピンチイン操作またはピンチアウト操作が行なわれたら一定の変化幅でフレーム画像間の時間間隔が変化するようにしてもよい。
【００７９】
上述したように、ピンチイン操作およびピンチアウト操作において指の略中心に位置する時間間隔変更の基準となるフレーム画像（図５および図６では再生開始から５０分後に再生されるフレーム画像）の表示位置は時間間隔が変更しても変化しない。これにより、フレーム画像間の時間間隔を変更しても基準となるフレーム画像を見失ってしまうことがなく、イン点またはアウト点とするフレーム画像を探す効率を高めることができる。
【００８０】
ユーザは、イン点またはアウト点とするフレーム画像を見つけた場合、そのフレーム画像をイン点またはアウト点として指定する入力操作を行う。指定する入力操作としてはタップ操作またはダブルタップ操作が好ましい。ユーザによりイン点またはアウト点を指定する操作が行なわれると、図７Ａに示すようにその指定されたフレーム画像を強調する表示がなされ、指定状態が保持される。強調する表示としては図７Ａに示すように太枠でフレーム画像を囲う、フレーム画像を点滅させる、フレーム画像をハイライト表示する、フレーム画像の色を変えるなど、指定しているということをユーザが認識することができればどのような表示でもよい。
【００８１】
そして、ユーザは次にイン点またはアウト点とする別のフレーム画像を見つけた場合、同様にそのフレーム画像を指定する入力操作を行う。２つのフレーム画像が指定されると、図７Ｂに示すように、指定された２つのフレーム画像間の全てのフレーム画像が強調表示され、再生時間が早い方のフレーム画像をイン点とされ、再生位置が遅い方のフレーム画像をアウト点とされる。このようにしてイン点およびアウト点によってユーザの所望のシーンが特定される。
【００８２】
なお、イン点とアウト点の指定は、まずイン点とするフレーム画像に指を接触させ、そのままアウト点とするフレーム画像まで指をなぞらせるスワイプ操作（なぞり操作）で行ってもよい。
【００８３】
ユーザはこの入力を全てのイン点とアウト点を指定するまで行う。図７Ｃではさらに再生開始から１２０分後に再生されるフレーム画像がイン点として指定され、図７Ｄでは再生開始から１３０分後に再生されるフレーム画像がアウト点として指定されている。このようにプロキシ動画に対しては数を限定することなく複数のイン点とアウト点を指定することができる。
【００８４】
なお、イン点およびアウト点の指定方法としては、上述の方法以外にも、最初に指定されたフレーム画像をイン点とし、次に指定されたフレーム画像をアウト点とするようにしてもよい。また、まずユーザがイン点とアウト点のどちらを指定するかを入力してから、フレーム画像を指定する入力を行うようにしてもよい。
【００８５】
ユーザにより全てのイン点およびアウト点の指定がなされ、決定ボタン３０４に対して入力がなされると、全てのイン点およびアウト点がエディットリストに登録される。編集点情報としてのエディットリストは図８Ａに示すように、ユーザによりイン点およびアウト点として指定されたフレーム画像の再生開始時からの経過時間をリスト的に記載した情報である。なお、図８Ｂに示すように、エディットリストは、イン点またはアウト点とされたフレーム画像が再生開始から何枚目のフレーム画像であるかを示す数値で構成してもよい。個々のイン点およびアウト点が指定される度にその都度エディットリストに登録されるようにしてもよい。イン点およびアウト点として指定されたフレーム画像が特定できればどのような情報でエディットリストを構成してもよい。
【００８６】
全てのイン点およびアウト点の指定が終了し、エディットリストが作成されると端末装置２００はエディットリストを撮像装置１００に送信する。エディットリストを受信した撮像装置１００はエディットリストを参照して図２に示した動画編集処理を行う。そして、編集済みの動画データは撮像装置１００の記憶部１０７に保存されるとともに、端末装置２００、端末装置２００以外の他の機器などに送信される。編集済みの動画はユーザが所望するシーンのみを抽出して結合した動画であるため、元動画データよりもデータサイズが小さいものとなっている。よって、元動画データそのものを送るよりも短い時間で送信、各種処理を行うことができる。
【００８７】
図９は上述した端末装置２００における処理の流れを示すフローチャートである。まずステップＳ１０１で、プロキシ動画を構成するフレーム画像がフレーム表示エリア３００に表示される。次にステップＳ１０２でユーザからのピンチイン操作がなされたか否かが判定される。ユーザからのピンチイン操作があった場合処理はステップＳ１０３に進む（ステップＳ１０２のＹｅｓ）。そしてステップＳ１０３で、上述したようにフレーム画像間の時間間隔が小さくされた状態で表示される。
【００８８】
ステップＳ１０２でピンチイン操作がされていない場合処理はステップＳ１０４に進む（ステップＳ１０２のＮｏ）。ステップＳ１０４でユーザからのピンチアウト操作がなされたか否かが判定される。ユーザからのピンチアウト操作があった場合処理はステップＳ１０５に進む（ステップＳ１０４のＹｅｓ）。そしてステップＳ１０５で、上述したようにフレーム画像間の時間間隔が大きくされた状態で表示される。なお、ステップＳ１０２とステップＳ１０４の順序は逆であってもよい。
【００８９】
ステップＳ１０４でユーザからのピンチアウト操作がない場合処理はステップＳ１０６に進み（ステップＳ１０４のＮｏ）、ユーザからのイン点およびアウト点の指定があったか否かが判定される。イン点およびアウト点の入力がない場合、イン点およびアウト点の指定があるまでステップＳ１０２乃至ステップＳ１０６が繰り返される（ステップＳ１０６のＮｏ）。
【００９０】
ステップＳ１０６でユーザからイン点およびアウト点の指定が合った場合処理はステップＳ１０７に進み（ステップＳ１０６のＹｅｓ）、ユーザからの決定ボタン３０４への入力がなされたか否かが判定される。決定ボタン３０４への入力がない場合、入力があるまでステップＳ１０２乃至ステップＳ１０６が繰り返される（ステップＳ１０７のＮｏ）
【００９１】
ユーザから決定ボタン３０４への入力があった場合、処理はステップＳ１０８に進み（ステップＳ１０７のＹｅｓ）、イン点およびアウト点がエディットリストに登録される。そしてステップＳ１０９で、そのエディットリストが端末装置２００から撮像装置１００に送信される。
【００９２】
このように元動画データそのものを送受信するのではなく、データサイズを小さくしたプロキシファイルをユーザが動画編集作業に用いる端末装置２００に送信することにより、送受信に要する時間を短くすることができる。これにより、動画撮影から動画編集作業までの時間を短縮することができる。また、ユーザが動画編集作業に用いた端末装置２００から動画編集処理を行う撮像装置１００へはエディットリストのみが送信されるため、動画編集作業終了後動画編集処理までの時間も短縮することができる。さらに、通信速度が低い環境においても撮像装置１００と端末装置２００間で動画編集作業を行うことができる。
【００９３】
なお、プロキシ動画を構成するフレーム画像をフレーム表示エリア３００に表示している状態において所望のフレーム画像に対して例えば長押し操作を行うと、そのフレーム画像から次のフレーム画像までの動画が再生されるようにしてもよい。この再生は長押し操作がなされたフレーム画像上においてなされてもよいし、別画面に遷移して再生されるようにしてもよい。この動画の再生において音声も同時に再生するようにしてもよい。
【００９４】
＜２．第２の実施の形態＞
［２−１．動画編集システムの構成］
次に本技術の第２の実施の形態について説明する。図１０は第２の実施の形態における動画編集システムを構成する撮像装置４００のブロック図である。第２の実施の形態に係る撮像装置４００はメタ情報取得部４０１を備えている点で第１の実施の形態と異なる。なお、メタ情報取得部４０１以外の構成は第１の実施の形態と同様であるためその説明を省略する。
【００９５】
メタ情報取得部４０１は、各種メタ情報を取得して動画作成部１１２に供給する。メタ情報としては、再生開始からの経過時間、撮影時刻、被写体認識情報、シーン検出情報、撮影位置情報、音声情報、タグ情報などがある。
【００９６】
メタ情報が経過時間、撮影時刻である場合、メタ情報取得部４０１は計時機能を備えるものである。メタ情報が被写体認識情報である場合、メタ情報取得部４０１は公知の被写体認識機能を有するものである。メタ情報がシーン検出情報である場合、メタ情報取得部４０１は公知のシーン検出機能を有するものである。メタ情報が撮影位置情報である場合、メタ情報取得部４０１はＧＰＳ（Global Positioning System）などの位置取得機能を有するものである。メタ情報が音声情報である場合、メタ情報取得部４０１はマイクロホン１１１により録音された音声に所定の信号処理を施し、動画の音声を生成するものである。メタ情報がタク情報である場合、メタ情報取得部４０１はユーザからのタグの入力を受け付ける機能を有するものである。
【００９７】
動画再生開始からの経過時間とは、動画の開始時を「００：００」として、動画の開始時からの経過した時間を示す情報である。撮影時刻とは、動画の撮影を行った時刻を示す情報である。被写体認識情報とは、公知の被写体認識技術を用いて認識された動画中の被写体として人物の位置情報、人物の顔の位置情報、人物の顔の向き情報、人物の顔の表情情報、瞳検出情報などである。シーン検出情報とは、動画中における色彩、ヒストグラム、輝度、被写体の動きなどに基づいて検出された動画中のシーンの切り替え位置（変わり目）を示す情報である。撮影位置情報とは、ＧＰＳにより取得された動画撮影を行った位置を示す緯度経度情報等である。
【００９８】
なお、メタ情報は上述したものに限られず、撮影された動画に関連する情報であればどのような情報であってもよい。
【００９９】
メタ情報取得部４０１からメタ情報を供給された動画作成部１１２は、元動画ファイルおよびプロキシファイルにメタ情報取得部から供給されたメタ情報を付加する。
【０１００】
また、端末装置２００において、デコード部２０４は撮像装置４００から送信されたプロキシファイルをデコードしプロキシ動画とし、デコード部２０４によりデコードされたプロキシ動画を構成するフレーム画像、音声およびメタ情報がメモリ２０５に展開される。
【０１０１】
［２−２．動画編集用ユーザインターフェースの構成］
次に図１１を参照して第２の実施の形態における動画編集用ユーザインターフェースについて説明する。第２の実施の形態ではフレーム画像に加え、そのフレーム画像に対応するメタ情報がメタ情報表示エリア３０５に表示される。なお、インジケータ３０１、スクロールバー３０２、スライダ３０３および決定ボタン３０４は第１の表示態様と同一であるためその説明を省略する。また、撮像装置１００による動画の撮影が終了後、動画作成部１１２がプロキシファイルを作成し、そのプロキシファイルが端末装置２００に送信される点も第１の実施の形態と同様である。
【０１０２】
フレーム表示エリア３００は第１の態様と同様に縦３×横４の合計１２のエリアに分割されており、１２個の各エリアの下にフレーム画像に対応するメタ情報を表示するメタ情報表示エリア３０５が設けられている。
【０１０３】
図１１Ａの例ではメタ情報としてプロキシ動画の再生開始時からの経過時間を示す経過時間情報が表示されている。経過時間情報を所望のフレーム画像を探すための目印にすることにより、容易にイン点またはアウト点とする所望のフレーム画像を探し出すことができる。メタ情報に基づいてフレーム表示エリア３００に表示するフレーム画像を抽出することにより、ユーザはメタ情報を見てメタ情報から所望のフレーム画像を探し出すことができる。
【０１０４】
図１１Ｂの例では、メタ情報として被写体認識情報およびシーン検出情報が表示されている。図１１Ｂではシーン検出情報として、人物が写っているか否か、屋内か屋外か、時間帯、暗いか明るいかという情報が表示されている。
【０１０５】
図１１Ｃの例では、メタ情報としてプロキシ動画の音声が波形として表示されている。なお、フレーム画像は第１の実施の形態と同様に時間間隔を開けて抽出されたものが表示されているが、音声波形は表示されていないフレーム画像に対応する音声波形も含めて動画を構成する音声波形の全てが途切れることなく連続的に表示されている。各フレーム画像の下に表示されている音声波形はそのフレーム画像から次のフレーム画像までのシーンに対応する音声である。
【０１０６】
なお、音声波形中における表示されているフレーム画像に対応する音声の箇所はマーク３０６で示されている。このように音声波形を表示することで、表示されているフレーム画像に加え、音声の変化に基づいても所望のフレーム画像を探し出すことができる。
【０１０７】
このように第２の実施の形態によれば、プロキシ動画を構成するフレーム画像に加え、メタ情報も各フレーム画像に対応させて表示されるため、ユーザはそのメタ情報も参照しながら動画編集作業を行うことができる。
【０１０８】
なお、メタ情報表示エリア３０５に複数のメタ情報を表示してもよい。例えば、音声波形と再生開始時からの経過時間の両方をメタ情報表示エリア３０５に表示するなどである。
【０１０９】
図１１に示したメタ情報はあくまで一例であり、本技術はそのようなメタ情報のみの表示に限定されるものではない。
【０１１０】
＜３．第３の実施の形態＞
［３−１．動画編集システムの構成］
次に本技術の第３の実施の形態について説明する。第３の実施の形態に係る動画編集システムは、複数の撮像装置１００と１つの端末装置２００とで構成されている。複数の撮像装置１００で同時に同一のまたは異なる被写体を撮影する。なお、プロキシファイルの作成および送受信などは第１の実施の形態または第２の実施の形態と同様であるためその説明を省略する。
【０１１１】
［３−２．動画編集用ユーザインターフェースの構成］
次に図１２を参照して第３の実施の形態における動画編集用ユーザインターフェースについて説明する。第３の実施の形態は、プロキシ動画を構成するフレーム画像中の特定のフレーム画像をフレーム表示エリア３００に表示する点は第１の実施の形態と同様である。また、撮像装置１００による動画の撮影が終了後、動画作成部１１２がプロキシファイルを作成し、そのプロキシファイルが端末装置２００に送信される点も第１の実施の形態と同様である。
【０１１２】
第３の実施の形態においては、複数台（本実施例では３つ）の撮像装置１００により同時に撮影された動画それぞれのプロキシ動画を構成するフレーム画像を同時に表示部２０６に表示している点で第１の実施の形態と異なる。
【０１１３】
図１２に示すフレーム表示エリア３００は縦３×横４の合計１２個のエリアに分割されており、上段（第１の横軸）が第１の撮像装置のプロキシ動画のフレーム画像を表示する第１撮像装置エリアである。また、中段（第２の横軸）が第２の撮像装置のプロキシ動画のフレーム画像を表示する第２撮像装置エリア、下段（第３の横軸）の４つが第３の撮像装置のプロキシ動画のフレーム画像を表示する第３撮像装置エリアとして構成されている。
【０１１４】
フレーム表示エリア３００は時間軸が左から右へ流れるように構成されている。よって、インジケータ３０１は表示部２０６の左右に表示されている。なお、インジケータ３０１の機能は第１の実施の形態と同様である。また、スクロールバー３０２およびスライダ３０３は表示部２０６の下に表示されている。なお、スクロールバー３０２およびスライダ３０３の機能は第１の実施の形態と同様である。よって、図１２Ａの状態においてユーザがタッチパネルに対して右方向にスワイプ操作またはフリック動作を行うことによりフレーム表示エリア３００をスクロールさせると、図１２Ｂの状態になり新たなフレーム画像（再生開始から５０分後に再生されるフレーム画像）が表示される。
【０１１５】
フレーム表示エリア３００には第１の実施の形態と同様に、時系列に沿ってプロキシ動画を構成する全てのフレーム画像が表示されるのではなく、所定の時間間隔を開けて抽出された特定のフレーム画像が並べて表示される。
【０１１６】
図１２に示されるフレーム表示エリア３００においては、上段の第１撮像装置エリアでは第１撮像装置によるプロキシ動画のフレーム画像が１０分間隔で表示されている。また、中段の第２撮像装置エリアでは第２撮像装置によるプロキシ動画のフレーム画像が１０分間隔で表示されている。さらに下段の第３撮像装置エリアでは第３撮像装置によるプロキシ動画のフレーム画像が１０分間隔で表示されている。
【０１１７】
フレーム表示エリア３００において、第１乃至第４の縦軸それぞれの時間軸は一致している。すなわち、図１２Ａの状態では、第１の縦軸上では第１撮像装置、第２撮像装置、第３撮像装置により撮影された撮影開始時のフレーム画像が表示され、第２の縦軸上では第１撮像装置、第２撮像装置、第３撮像装置により撮影された撮影開始から１０分後のフレーム画像が表示される。第３の縦軸上では第１撮像装置、第２撮像装置、第３撮像装置により撮影された撮影開始から２０分後のフレーム画像が表示され、第４の縦軸上では第１撮像装置、第２撮像装置、第３撮像装置により撮影された撮影開始から３０分後のフレーム画像が表示される。
【０１１８】
図１２Ｂの状態では、第１の縦軸では第１撮像装置、第２撮像装置、第３撮像装置により撮影された撮影開始から２０分後のフレーム画像が表示され、第２の縦軸では第１撮像装置、第２撮像装置、第３撮像装置により撮影された撮影開始から３０分後のフレーム画像が表示される。第３の縦軸では第１撮像装置、第２撮像装置、第３撮像装置により撮影された撮影開始から４０分後のフレーム画像が表示され、第４の縦軸では第１撮像装置、第２撮像装置、第３撮像装置により撮影された撮影開始から５０分後のフレーム画像が表示される。
【０１１９】
このように異なる撮像装置で同時に撮影されたフレーム画像を同じ時間軸で表示することにより、異なる撮像装置で同時に撮影された複数のフレーム画像をひと目で容易に把握することができる。これにより、複数の撮像装置により撮影された動画の編集の効率を高めることができる。また、動画編集において動画の時間軸が狂ってしまうおそれがない。
【０１２０】
第３の実施の形態においてイン点とアウト点を指定する場合、図１２Ｃに示すように、イン点またはアウト点として指定された太枠で囲われたフレーム画像と同時に撮影された他の撮像装置１００によるフレーム画像は暗く表示して選択できないことをユーザに示すようにする。これにより、異なる撮像装置１００により同時に撮影されたフレーム画像が指定されることがない。よって、編集済み動画の時間軸が狂ってしまうことがなく、イン点とアウト点の指定作業を効率よく行うことができる。
【０１２１】
この第３の実施の形態によれば、複数の撮像装置により異なるアングルで撮影された複数の動画から所望のシーンを選択して編集済み動画を作成することができる。また、複数の撮像装置により撮影された複数の動画の編集を１台のカメラで撮影された動画の編集を行うのと同様に行うことができる。さらに、複数の撮像装置により撮影された複数の動画から１つの編集済み動画を容易に作成することができる。
【０１２２】
以上のようにして本技術に係る第１乃至第３の実施の形態が構成されている。本技術によれば、元動画データそのものを送受信するのではなく、データサイズを小さくしたプロキシファイルをユーザが動画編集作業を行う端末装置２００に送信することにより、送受信に要する時間を短くすることができる。これにより、動画撮影から動画編集作業までの時間を短縮することができる。
【０１２３】
プロキシ動画を構成する全てのフレーム画像を端末装置２００の表示部２０６に表示するのではなく、特定のフレーム画像のみを抽出して表示することにより、ユーザはひと目でまたはフレーム表示エリア３００のスクロール回数を減らして、容易に動画全体の構成、シーンの移り変わりなどを把握することができる。また、動画が長尺なものであっても、少ないスクロール数で動画のおおよその所望のシーンを見つけることができる。
【０１２４】
なお、図４、図５、図６、図７および図１２に示すフレーム画像間の時間間隔はあくまで説明の便宜上設定した一例であり本技術がそのような時間間隔に限定されるものではない。
【０１２５】
本技術は種々の分野に利用することが可能である。第１の利用態様は、ネットワーク環境の悪い国、地域でのニュース取材で録画を行った場合である。この場合、撮影現場から放送局に録画した元動画データをそのまま全て送ろうとすると長い時間を要してしまう。そこで、本技術を用いて撮影現場で動画編集を行ってファイルサイズが小さくなった編集済み動画データを放送局に送ることにより撮影終了から放送までに要する時間を短縮することができる。
【０１２６】
第２の利用態様は、裁判資料などとして弁護士が動画のうち証拠となる一部分のみを入手したい場合である。動画が長時間に及ぶ場合、弁護士が編集のためにその動画全てをダウンロードしようとすると長い時間を要するし、ダウンロードに使用するサービスの料金も高額になってしまう。そこで、本技術を用いて、弁護士はファイルサイズを小さくしたプロキシファイルのみをダウンロードして必要な箇所のみを指定して編集済み動画をダウンロードすることにより、ダウンロード時間を短縮するとともにコストを抑えることができる。
【０１２７】
第３の利用態様は、家族、友人などと動画を撮影する場合である。例えば、子供の動画を撮影してその動画が長時間に及んだ場合、一度パーソナルコンピュータなどに保存してしまうと放置してしまい編集を行わない場合がある。そこで、本技術を用いれば、撮影終了すぐにその場で端末装置２００で編集を行えるのでより気軽に動画編集を行うことができる。
【０１２８】
第４の利用態様は、自転車やバイクのハンドル、サーフボードやスノーボードの先端に装着して移動しながら撮影を行うことができるウェアラブルカメラでの撮影における場合である。そのような撮影では撮影された動画が長時間に及ぶ場合でも決定的な瞬間はごくわずかである場合が多い。そこで本技術を用いれば撮影後すぐに端末装置２００で編集を行うことができ、録画終了から友人知人間での共有、ＳＮＳへのアップロードまでの時間を短くすることができる。
【０１２９】
第５の利用態様は、ドライブレコーダにより撮影された動画、監視カメラにより撮影された動画の編集を行う場合である。これらの動画は録画時間が長時間にわたるものが多いため、本技術を用いることによって効率よく編集を行うことができる。
【０１３０】
＜４．応用例＞
本開示に係る技術は、様々な製品へ応用することができる。例えば、本開示に係る技術は、手術室システムに適用されてもよい。
【０１３１】
図１３は、本開示に係る技術が適用され得る手術室システム５１００の全体構成を概略的に示す図である。図１３を参照すると、手術室システム５１００は、手術室内に設置される装置群が視聴覚コントローラ（AV  Controller）５１０７及び手術室制御装置５１０９を介して互いに連携可能に接続されることにより構成される。
【０１３２】
手術室には、様々な装置が設置され得る。図１３では、一例として、内視鏡下手術のための各種の装置群５１０１と、手術室の天井に設けられ術者の手元を撮像するシーリングカメラ５１８７と、手術室の天井に設けられ手術室全体の様子を撮像する術場カメラ５１８９と、複数の表示装置５１０３Ａ〜５１０３Ｄと、レコーダ５１０５と、患者ベッド５１８３と、照明５１９１と、を図示している。
【０１３３】
ここで、これらの装置のうち、装置群５１０１は、後述する内視鏡手術システム５１１３に属するものであり、内視鏡や当該内視鏡によって撮像された画像を表示する表示装置等からなる。内視鏡手術システム５１１３に属する各装置は医療用機器とも呼称される。一方、表示装置５１０３Ａ〜５１０３Ｄ、レコーダ５１０５、患者ベッド５１８３及び照明５１９１は、内視鏡手術システム５１１３とは別個に、例えば手術室に備え付けられている装置である。これらの内視鏡手術システム５１１３に属さない各装置は非医療用機器とも呼称される。視聴覚コントローラ５１０７及び／又は手術室制御装置５１０９は、これら医療機器及び非医療機器の動作を互いに連携して制御する。
【０１３４】
視聴覚コントローラ５１０７は、医療機器及び非医療機器における画像表示に関する処理を、統括的に制御する。具体的には、手術室システム５１００が備える装置のうち、装置群５１０１、シーリングカメラ５１８７及び術場カメラ５１８９は、手術中に表示すべき情報（以下、表示情報ともいう）を発信する機能を有する装置（以下、発信元の装置とも呼称する）であり得る。また、表示装置５１０３Ａ〜５１０３Ｄは、表示情報が出力される装置（以下、出力先の装置とも呼称する）であり得る。また、レコーダ５１０５は、発信元の装置及び出力先の装置の双方に該当する装置であり得る。視聴覚コントローラ５１０７は、発信元の装置及び出力先の装置の動作を制御し、発信元の装置から表示情報を取得するとともに、当該表示情報を出力先の装置に送信し、表示又は記録させる機能を有する。なお、表示情報とは、手術中に撮像された各種の画像や、手術に関する各種の情報（例えば、患者の身体情報や、過去の検査結果、術式についての情報等）等である。
【０１３５】
具体的には、視聴覚コントローラ５１０７には、装置群５１０１から、表示情報として、内視鏡によって撮像された患者の体腔内の術部の画像についての情報が送信され得る。また、シーリングカメラ５１８７から、表示情報として、当該シーリングカメラ５１８７によって撮像された術者の手元の画像についての情報が送信され得る。また、術場カメラ５１８９から、表示情報として、当該術場カメラ５１８９によって撮像された手術室全体の様子を示す画像についての情報が送信され得る。なお、手術室システム５１００に撮像機能を有する他の装置が存在する場合には、視聴覚コントローラ５１０７は、表示情報として、当該他の装置からも当該他の装置によって撮像された画像についての情報を取得してもよい。
【０１３６】
あるいは、例えば、レコーダ５１０５には、過去に撮像されたこれらの画像についての情報が視聴覚コントローラ５１０７によって記録されている。視聴覚コントローラ５１０７は、表示情報として、レコーダ５１０５から当該過去に撮像された画像についての情報を取得することができる。なお、レコーダ５１０５には、手術に関する各種の情報も事前に記録されていてもよい。
【０１３７】
視聴覚コントローラ５１０７は、出力先の装置である表示装置５１０３Ａ〜５１０３Ｄの少なくともいずれかに、取得した表示情報（すなわち、手術中に撮影された画像や、手術に関する各種の情報）を表示させる。図示する例では、表示装置５１０３Ａは手術室の天井から吊り下げられて設置される表示装置であり、表示装置５１０３Ｂは手術室の壁面に設置される表示装置であり、表示装置５１０３Ｃは手術室内の机上に設置される表示装置であり、表示装置５１０３Ｄは表示機能を有するモバイル機器（例えば、タブレットＰＣ（Personal  Computer））である。
【０１３８】
また、図１３では図示を省略しているが、手術室システム５１００には、手術室の外部の装置が含まれてもよい。手術室の外部の装置は、例えば、病院内外に構築されたネットワークに接続されるサーバや、医療スタッフが用いるＰＣ、病院の会議室に設置されるプロジェクタ等であり得る。このような外部装置が病院外にある場合には、視聴覚コントローラ５１０７は、遠隔医療のために、テレビ会議システム等を介して、他の病院の表示装置に表示情報を表示させることもできる。
【０１３９】
手術室制御装置５１０９は、非医療機器における画像表示に関する処理以外の処理を、統括的に制御する。例えば、手術室制御装置５１０９は、患者ベッド５１８３、シーリングカメラ５１８７、術場カメラ５１８９及び照明５１９１の駆動を制御する。
【０１４０】
手術室システム５１００には、集中操作パネル５１１１が設けられており、ユーザは、当該集中操作パネル５１１１を介して、視聴覚コントローラ５１０７に対して画像表示についての指示を与えたり、手術室制御装置５１０９に対して非医療機器の動作についての指示を与えることができる。集中操作パネル５１１１は、表示装置の表示面上にタッチパネルが設けられて構成される。
【０１４１】
図１４は、集中操作パネル５１１１における操作画面の表示例を示す図である。図１４では、一例として、手術室システム５１００に、出力先の装置として、２つの表示装置が設けられている場合に対応する操作画面を示している。図１４を参照すると、操作画面５１９３には、発信元選択領域５１９５と、プレビュー領域５１９７と、コントロール領域５２０１と、が設けられる。
【０１４２】
発信元選択領域５１９５には、手術室システム５１００に備えられる発信元装置と、当該発信元装置が有する表示情報を表すサムネイル画面と、が紐付けられて表示される。ユーザは、表示装置に表示させたい表示情報を、発信元選択領域５１９５に表示されているいずれかの発信元装置から選択することができる。
【０１４３】
プレビュー領域５１９７には、出力先の装置である２つの表示装置（Monitor1、Monitor2）に表示される画面のプレビューが表示される。図示する例では、１つの表示装置において４つの画像がＰｉｎＰ表示されている。当該４つの画像は、発信元選択領域５１９５において選択された発信元装置から発信された表示情報に対応するものである。４つの画像のうち、１つはメイン画像として比較的大きく表示され、残りの３つはサブ画像として比較的小さく表示される。ユーザは、４つの画像が表示された領域を適宜選択することにより、メイン画像とサブ画像を入れ替えることができる。また、４つの画像が表示される領域の下部には、ステータス表示領域５１９９が設けられており、当該領域に手術に関するステータス（例えば、手術の経過時間や、患者の身体情報等）が適宜表示され得る。
【０１４４】
コントロール領域５２０１には、発信元の装置に対して操作を行うためのＧＵＩ（Graphical  User  Interface）部品が表示される発信元操作領域５２０３と、出力先の装置に対して操作を行うためのＧＵＩ部品が表示される出力先操作領域５２０５と、が設けられる。図示する例では、発信元操作領域５２０３には、撮像機能を有する発信元の装置におけるカメラに対して各種の操作（パン、チルト及びズーム）を行うためのＧＵＩ部品が設けられている。ユーザは、これらのＧＵＩ部品を適宜選択することにより、発信元の装置におけるカメラの動作を操作することができる。なお、図示は省略しているが、発信元選択領域５１９５において選択されている発信元の装置がレコーダである場合（すなわち、プレビュー領域５１９７において、レコーダに過去に記録された画像が表示されている場合）には、発信元操作領域５２０３には、当該画像の再生、再生停止、巻き戻し、早送り等の操作を行うためのＧＵＩ部品が設けられ得る。
【０１４５】
また、出力先操作領域５２０５には、出力先の装置である表示装置における表示に対する各種の操作（スワップ、フリップ、色調整、コントラスト調整、２Ｄ表示と３Ｄ表示の切り替え）を行うためのＧＵＩ部品が設けられている。ユーザは、これらのＧＵＩ部品を適宜選択することにより、表示装置における表示を操作することができる。
【０１４６】
なお、集中操作パネル５１１１に表示される操作画面は図示する例に限定されず、ユーザは、集中操作パネル５１１１を介して、手術室システム５１００に備えられる、視聴覚コントローラ５１０７及び手術室制御装置５１０９によって制御され得る各装置に対する操作入力が可能であってよい。
【０１４７】
図１５は、以上説明した手術室システムが適用された手術の様子の一例を示す図である。シーリングカメラ５１８７及び術場カメラ５１８９は、手術室の天井に設けられ、患者ベッド５１８３上の患者５１８５の患部に対して処置を行う術者（医者）５１８１の手元及び手術室全体の様子を撮影可能である。シーリングカメラ５１８７及び術場カメラ５１８９には、倍率調整機能、焦点距離調整機能、撮影方向調整機能等が設けられ得る。照明５１９１は、手術室の天井に設けられ、少なくとも術者５１８１の手元を照射する。照明５１９１は、その照射光量、照射光の波長（色）及び光の照射方向等を適宜調整可能であってよい。
【０１４８】
内視鏡手術システム５１１３、患者ベッド５１８３、シーリングカメラ５１８７、術場カメラ５１８９及び照明５１９１は、図１３に示すように、視聴覚コントローラ５１０７及び手術室制御装置５１０９（図１５では図示せず）を介して互いに連携可能に接続されている。手術室内には、集中操作パネル５１１１が設けられており、上述したように、ユーザは、当該集中操作パネル５１１１を介して、手術室内に存在するこれらの装置を適宜操作することが可能である。
【０１４９】
以下、内視鏡手術システム５１１３の構成について詳細に説明する。図示するように、内視鏡手術システム５１１３は、内視鏡５１１５と、その他の術具５１３１と、内視鏡５１１５を支持する支持アーム装置５１４１と、内視鏡下手術のための各種の装置が搭載されたカート５１５１と、から構成される。
【０１５０】
内視鏡手術では、腹壁を切って開腹する代わりに、トロッカ５１３９ａ〜５１３９ｄと呼ばれる筒状の開孔器具が腹壁に複数穿刺される。そして、トロッカ５１３９ａ〜５１３９ｄから、内視鏡５１１５の鏡筒５１１７や、その他の術具５１３１が患者５１８５の体腔内に挿入される。図示する例では、その他の術具５１３１として、気腹チューブ５１３３、エネルギー処置具５１３５及び鉗子５１３７が、患者５１８５の体腔内に挿入されている。また、エネルギー処置具５１３５は、高周波電流や超音波振動により、組織の切開及び剥離、又は血管の封止等を行う処置具である。ただし、図示する術具５１３１はあくまで一例であり、術具５１３１としては、例えば攝子、レトラクタ等、一般的に内視鏡下手術において用いられる各種の術具が用いられてよい。
【０１５１】
内視鏡５１１５によって撮影された患者５１８５の体腔内の術部の画像が、表示装置５１５５に表示される。術者５１８１は、表示装置５１５５に表示された術部の画像をリアルタイムで見ながら、エネルギー処置具５１３５や鉗子５１３７を用いて、例えば患部を切除する等の処置を行う。なお、図示は省略しているが、気腹チューブ５１３３、エネルギー処置具５１３５及び鉗子５１３７は、手術中に、術者５１８１又は助手等によって支持される。
【０１５２】
（支持アーム装置）
支持アーム装置５１４１は、ベース部５１４３から延伸するアーム部５１４５を備える。図示する例では、アーム部５１４５は、関節部５１４７ａ、５１４７ｂ、５１４７ｃ、及びリンク５１４９ａ、５１４９ｂから構成されており、アーム制御装置５１５９からの制御により駆動される。アーム部５１４５によって内視鏡５１１５が支持され、その位置及び姿勢が制御される。これにより、内視鏡５１１５の安定的な位置の固定が実現され得る。
【０１５３】
（内視鏡）
内視鏡５１１５は、先端から所定の長さの領域が患者５１８５の体腔内に挿入される鏡筒５１１７と、鏡筒５１１７の基端に接続されるカメラヘッド５１１９と、から構成される。図示する例では、硬性の鏡筒５１１７を有するいわゆる硬性鏡として構成される内視鏡５１１５を図示しているが、内視鏡５１１５は、軟性の鏡筒５１１７を有するいわゆる軟性鏡として構成されてもよい。
【０１５４】
鏡筒５１１７の先端には、対物レンズが嵌め込まれた開口部が設けられている。内視鏡５１１５には光源装置５１５７が接続されており、当該光源装置５１５７によって生成された光が、鏡筒５１１７の内部に延設されるライトガイドによって当該鏡筒の先端まで導光され、対物レンズを介して患者５１８５の体腔内の観察対象に向かって照射される。なお、内視鏡５１１５は、直視鏡であってもよいし、斜視鏡又は側視鏡であってもよい。
【０１５５】
カメラヘッド５１１９の内部には光学系及び撮像素子が設けられており、観察対象からの反射光（観察光）は当該光学系によって当該撮像素子に集光される。当該撮像素子によって観察光が光電変換され、観察光に対応する電気信号、すなわち観察像に対応する画像信号が生成される。当該画像信号は、ＲＡＷデータとしてカメラコントロールユニット（ＣＣＵ：Camera  Control  Unit）５１５３に送信される。なお、カメラヘッド５１１９には、その光学系を適宜駆動させることにより、倍率及び焦点距離を調整する機能が搭載される。
【０１５６】
なお、例えば立体視（３Ｄ表示）等に対応するために、カメラヘッド５１１９には撮像素子が複数設けられてもよい。この場合、鏡筒５１１７の内部には、当該複数の撮像素子のそれぞれに観察光を導光するために、リレー光学系が複数系統設けられる。
【０１５７】
（カートに搭載される各種の装置）
ＣＣＵ５１５３は、ＣＰＵ（Central  Processing  Unit）やＧＰＵ（Graphics  Processing  Unit）等によって構成され、内視鏡５１１５及び表示装置５１５５の動作を統括的に制御する。具体的には、ＣＣＵ５１５３は、カメラヘッド５１１９から受け取った画像信号に対して、例えば現像処理（デモザイク処理）等の、当該画像信号に基づく画像を表示するための各種の画像処理を施す。ＣＣＵ５１５３は、当該画像処理を施した画像信号を表示装置５１５５に提供する。また、ＣＣＵ５１５３には、図１３に示す視聴覚コントローラ５１０７が接続される。ＣＣＵ５１５３は、画像処理を施した画像信号を視聴覚コントローラ５１０７にも提供する。また、ＣＣＵ５１５３は、カメラヘッド５１１９に対して制御信号を送信し、その駆動を制御する。当該制御信号には、倍率や焦点距離等、撮像条件に関する情報が含まれ得る。当該撮像条件に関する情報は、入力装置５１６１を介して入力されてもよいし、上述した集中操作パネル５１１１を介して入力されてもよい。
【０１５８】
表示装置５１５５は、ＣＣＵ５１５３からの制御により、当該ＣＣＵ５１５３によって画像処理が施された画像信号に基づく画像を表示する。内視鏡５１１５が例えば４Ｋ（水平画素数３８４０×垂直画素数２１６０）又は８Ｋ（水平画素数７６８０×垂直画素数４３２０）等の高解像度の撮影に対応したものである場合、及び／又は３Ｄ表示に対応したものである場合には、表示装置５１５５としては、それぞれに対応して、高解像度の表示が可能なもの、及び／又は３Ｄ表示可能なものが用いられ得る。４Ｋ又は８Ｋ等の高解像度の撮影に対応したものである場合、表示装置５１５５として５５インチ以上のサイズのものを用いることで一層の没入感が得られる。また、用途に応じて、解像度、サイズが異なる複数の表示装置５１５５が設けられてもよい。
【０１５９】
光源装置５１５７は、例えばＬＥＤ（light  emitting  diode）等の光源から構成され、術部を撮影する際の照射光を内視鏡５１１５に供給する。
【０１６０】
アーム制御装置５１５９は、例えばＣＰＵ等のプロセッサによって構成され、所定のプログラムに従って動作することにより、所定の制御方式に従って支持アーム装置５１４１のアーム部５１４５の駆動を制御する。
【０１６１】
入力装置５１６１は、内視鏡手術システム５１１３に対する入力インタフェースである。ユーザは、入力装置５１６１を介して、内視鏡手術システム５１１３に対して各種の情報の入力や指示入力を行うことができる。例えば、ユーザは、入力装置５１６１を介して、患者の身体情報や、手術の術式についての情報等、手術に関する各種の情報を入力する。また、例えば、ユーザは、入力装置５１６１を介して、アーム部５１４５を駆動させる旨の指示や、内視鏡５１１５による撮像条件（照射光の種類、倍率及び焦点距離等）を変更する旨の指示、エネルギー処置具５１３５を駆動させる旨の指示等を入力する。
【０１６２】
入力装置５１６１の種類は限定されず、入力装置５１６１は各種の公知の入力装置であってよい。入力装置５１６１としては、例えば、マウス、キーボード、タッチパネル、スイッチ、フットスイッチ５１７１及び／又はレバー等が適用され得る。入力装置５１６１としてタッチパネルが用いられる場合には、当該タッチパネルは表示装置５１５５の表示面上に設けられてもよい。
【０１６３】
あるいは、入力装置５１６１は、例えばメガネ型のウェアラブルデバイスやＨＭＤ（Head  Mounted  Display）等の、ユーザによって装着されるデバイスであり、これらのデバイスによって検出されるユーザのジェスチャや視線に応じて各種の入力が行われる。また、入力装置５１６１は、ユーザの動きを検出可能なカメラを含み、当該カメラによって撮像された映像から検出されるユーザのジェスチャや視線に応じて各種の入力が行われる。更に、入力装置５１６１は、ユーザの声を収音可能なマイクロフォンを含み、当該マイクロフォンを介して音声によって各種の入力が行われる。このように、入力装置５１６１が非接触で各種の情報を入力可能に構成されることにより、特に清潔域に属するユーザ（例えば術者５１８１）が、不潔域に属する機器を非接触で操作することが可能となる。また、ユーザは、所持している術具から手を離すことなく機器を操作することが可能となるため、ユーザの利便性が向上する。
【０１６４】
処置具制御装置５１６３は、組織の焼灼、切開又は血管の封止等のためのエネルギー処置具５１３５の駆動を制御する。気腹装置５１６５は、内視鏡５１１５による視野の確保及び術者の作業空間の確保の目的で、患者５１８５の体腔を膨らめるために、気腹チューブ５１３３を介して当該体腔内にガスを送り込む。レコーダ５１６７は、手術に関する各種の情報を記録可能な装置である。プリンタ５１６９は、手術に関する各種の情報を、テキスト、画像又はグラフ等各種の形式で印刷可能な装置である。
【０１６５】
以下、内視鏡手術システム５１１３において特に特徴的な構成について、更に詳細に説明する。
【０１６６】
（支持アーム装置）
支持アーム装置５１４１は、基台であるベース部５１４３と、ベース部５１４３から延伸するアーム部５１４５と、を備える。図示する例では、アーム部５１４５は、複数の関節部５１４７ａ、５１４７ｂ、５１４７ｃと、関節部５１４７ｂによって連結される複数のリンク５１４９ａ、５１４９ｂと、から構成されているが、図１５では、簡単のため、アーム部５１４５の構成を簡略化して図示している。実際には、アーム部５１４５が所望の自由度を有するように、関節部５１４７ａ〜５１４７ｃ及びリンク５１４９ａ、５１４９ｂの形状、数及び配置、並びに関節部５１４７ａ〜５１４７ｃの回転軸の方向等が適宜設定され得る。例えば、アーム部５１４５は、好適に、６自由度以上の自由度を有するように構成され得る。これにより、アーム部５１４５の可動範囲内において内視鏡５１１５を自由に移動させることが可能になるため、所望の方向から内視鏡５１１５の鏡筒５１１７を患者５１８５の体腔内に挿入することが可能になる。
【０１６７】
関節部５１４７ａ〜５１４７ｃにはアクチュエータが設けられており、関節部５１４７ａ〜５１４７ｃは当該アクチュエータの駆動により所定の回転軸まわりに回転可能に構成されている。当該アクチュエータの駆動がアーム制御装置５１５９によって制御されることにより、各関節部５１４７ａ〜５１４７ｃの回転角度が制御され、アーム部５１４５の駆動が制御される。これにより、内視鏡５１１５の位置及び姿勢の制御が実現され得る。この際、アーム制御装置５１５９は、力制御又は位置制御等、各種の公知の制御方式によってアーム部５１４５の駆動を制御することができる。
【０１６８】
例えば、術者５１８１が、入力装置５１６１（フットスイッチ５１７１を含む）を介して適宜操作入力を行うことにより、当該操作入力に応じてアーム制御装置５１５９によってアーム部５１４５の駆動が適宜制御され、内視鏡５１１５の位置及び姿勢が制御されてよい。当該制御により、アーム部５１４５の先端の内視鏡５１１５を任意の位置から任意の位置まで移動させた後、その移動後の位置で固定的に支持することができる。なお、アーム部５１４５は、いわゆるマスタースレイブ方式で操作されてもよい。この場合、アーム部５１４５は、手術室から離れた場所に設置される入力装置５１６１を介してユーザによって遠隔操作され得る。
【０１６９】
また、力制御が適用される場合には、アーム制御装置５１５９は、ユーザからの外力を受け、その外力にならってスムーズにアーム部５１４５が移動するように、各関節部５１４７ａ〜５１４７ｃのアクチュエータを駆動させる、いわゆるパワーアシスト制御を行ってもよい。これにより、ユーザが直接アーム部５１４５に触れながらアーム部５１４５を移動させる際に、比較的軽い力で当該アーム部５１４５を移動させることができる。従って、より直感的に、より簡易な操作で内視鏡５１１５を移動させることが可能となり、ユーザの利便性を向上させることができる。
【０１７０】
ここで、一般的に、内視鏡下手術では、スコピストと呼ばれる医師によって内視鏡５１１５が支持されていた。これに対して、支持アーム装置５１４１を用いることにより、人手によらずに内視鏡５１１５の位置をより確実に固定することが可能になるため、術部の画像を安定的に得ることができ、手術を円滑に行うことが可能になる。
【０１７１】
なお、アーム制御装置５１５９は必ずしもカート５１５１に設けられなくてもよい。また、アーム制御装置５１５９は必ずしも１つの装置でなくてもよい。例えば、アーム制御装置５１５９は、支持アーム装置５１４１のアーム部５１４５の各関節部５１４７ａ〜５１４７ｃにそれぞれ設けられてもよく、複数のアーム制御装置５１５９が互いに協働することにより、アーム部５１４５の駆動制御が実現されてもよい。
【０１７２】
（光源装置）
光源装置５１５７は、内視鏡５１１５に術部を撮影する際の照射光を供給する。光源装置５１５７は、例えばＬＥＤ、レーザ光源又はこれらの組み合わせによって構成される白色光源から構成される。このとき、ＲＧＢレーザ光源の組み合わせにより白色光源が構成される場合には、各色（各波長）の出力強度及び出力タイミングを高精度に制御することができるため、光源装置５１５７において撮像画像のホワイトバランスの調整を行うことができる。また、この場合には、ＲＧＢレーザ光源それぞれからのレーザ光を時分割で観察対象に照射し、その照射タイミングに同期してカメラヘッド５１１９の撮像素子の駆動を制御することにより、ＲＧＢそれぞれに対応した画像を時分割で撮像することも可能である。当該方法によれば、当該撮像素子にカラーフィルタを設けなくても、カラー画像を得ることができる。
【０１７３】
また、光源装置５１５７は、出力する光の強度を所定の時間ごとに変更するようにその駆動が制御されてもよい。その光の強度の変更のタイミングに同期してカメラヘッド５１１９の撮像素子の駆動を制御して時分割で画像を取得し、その画像を合成することにより、いわゆる黒つぶれ及び白とびのない高ダイナミックレンジの画像を生成することができる。
【０１７４】
また、光源装置５１５７は、特殊光観察に対応した所定の波長帯域の光を供給可能に構成されてもよい。特殊光観察では、例えば、体組織における光の吸収の波長依存性を利用して、通常の観察時における照射光（すなわち、白色光）に比べて狭帯域の光を照射することにより、粘膜表層の血管等の所定の組織を高コントラストで撮影する、いわゆる狭帯域光観察（Narrow  Band  Imaging）が行われる。あるいは、特殊光観察では、励起光を照射することにより発生する蛍光により画像を得る蛍光観察が行われてもよい。蛍光観察では、体組織に励起光を照射し当該体組織からの蛍光を観察するもの（自家蛍光観察）、又はインドシアニングリーン（ICG）等の試薬を体組織に局注するとともに当該体組織にその試薬の蛍光波長に対応した励起光を照射し蛍光像を得るもの等が行われ得る。光源装置５１５７は、このような特殊光観察に対応した狭帯域光及び／又は励起光を供給可能に構成され得る。
【０１７５】
（カメラヘッド及びＣＣＵ）
図１６を参照して、内視鏡５１１５のカメラヘッド５１１９及びＣＣＵ５１５３の機能についてより詳細に説明する。図１６は、図１５に示すカメラヘッド５１１９及びＣＣＵ５１５３の機能構成の一例を示すブロック図である。
【０１７６】
図１６を参照すると、カメラヘッド５１１９は、その機能として、レンズユニット５１２１と、撮像部５１２３と、駆動部５１２５と、通信部５１２７と、カメラヘッド制御部５１２９と、を有する。また、ＣＣＵ５１５３は、その機能として、通信部５１７３と、画像処理部５１７５と、制御部５１７７と、を有する。カメラヘッド５１１９とＣＣＵ５１５３とは、伝送ケーブル５１７９によって双方向に通信可能に接続されている。
【０１７７】
まず、カメラヘッド５１１９の機能構成について説明する。レンズユニット５１２１は、鏡筒５１１７との接続部に設けられる光学系である。鏡筒５１１７の先端から取り込まれた観察光は、カメラヘッド５１１９まで導光され、当該レンズユニット５１２１に入射する。レンズユニット５１２１は、ズームレンズ及びフォーカスレンズを含む複数のレンズが組み合わされて構成される。レンズユニット５１２１は、撮像部５１２３の撮像素子の受光面上に観察光を集光するように、その光学特性が調整されている。また、ズームレンズ及びフォーカスレンズは、撮像画像の倍率及び焦点の調整のため、その光軸上の位置が移動可能に構成される。
【０１７８】
撮像部５１２３は撮像素子によって構成され、レンズユニット５１２１の後段に配置される。レンズユニット５１２１を通過した観察光は、当該撮像素子の受光面に集光され、光電変換によって、観察像に対応した画像信号が生成される。撮像部５１２３によって生成された画像信号は、通信部５１２７に提供される。
【０１７９】
撮像部５１２３を構成する撮像素子としては、例えばＣＭＯＳ（Complementary  Metal  Oxide  Semiconductor）タイプのイメージセンサであり、Ｂａｙｅｒ配列を有するカラー撮影可能なものが用いられる。なお、当該撮像素子としては、例えば４Ｋ以上の高解像度の画像の撮影に対応可能なものが用いられてもよい。術部の画像が高解像度で得られることにより、術者５１８１は、当該術部の様子をより詳細に把握することができ、手術をより円滑に進行することが可能となる。
【０１８０】
また、撮像部５１２３を構成する撮像素子は、３Ｄ表示に対応する右目用及び左目用の画像信号をそれぞれ取得するための１対の撮像素子を有するように構成される。３Ｄ表示が行われることにより、術者５１８１は術部における生体組織の奥行きをより正確に把握することが可能になる。なお、撮像部５１２３が多板式で構成される場合には、各撮像素子に対応して、レンズユニット５１２１も複数系統設けられる。
【０１８１】
また、撮像部５１２３は、必ずしもカメラヘッド５１１９に設けられなくてもよい。例えば、撮像部５１２３は、鏡筒５１１７の内部に、対物レンズの直後に設けられてもよい。
【０１８２】
駆動部５１２５は、アクチュエータによって構成され、カメラヘッド制御部５１２９からの制御により、レンズユニット５１２１のズームレンズ及びフォーカスレンズを光軸に沿って所定の距離だけ移動させる。これにより、撮像部５１２３による撮像画像の倍率及び焦点が適宜調整され得る。
【０１８３】
通信部５１２７は、ＣＣＵ５１５３との間で各種の情報を送受信するための通信装置によって構成される。通信部５１２７は、撮像部５１２３から得た画像信号をＲＡＷデータとして伝送ケーブル５１７９を介してＣＣＵ５１５３に送信する。この際、術部の撮像画像を低レイテンシで表示するために、当該画像信号は光通信によって送信されることが好ましい。手術の際には、術者５１８１が撮像画像によって患部の状態を観察しながら手術を行うため、より安全で確実な手術のためには、術部の動画像が可能な限りリアルタイムに表示されることが求められるからである。光通信が行われる場合には、通信部５１２７には、電気信号を光信号に変換する光電変換モジュールが設けられる。画像信号は当該光電変換モジュールによって光信号に変換された後、伝送ケーブル５１７９を介してＣＣＵ５１５３に送信される。
【０１８４】
また、通信部５１２７は、ＣＣＵ５１５３から、カメラヘッド５１１９の駆動を制御するための制御信号を受信する。当該制御信号には、例えば、撮像画像のフレームレートを指定する旨の情報、撮像時の露出値を指定する旨の情報、並びに／又は撮像画像の倍率及び焦点を指定する旨の情報等、撮像条件に関する情報が含まれる。通信部５１２７は、受信した制御信号をカメラヘッド制御部５１２９に提供する。なお、ＣＣＵ５１５３からの制御信号も、光通信によって伝送されてもよい。この場合、通信部５１２７には、光信号を電気信号に変換する光電変換モジュールが設けられ、制御信号は当該光電変換モジュールによって電気信号に変換された後、カメラヘッド制御部５１２９に提供される。
【０１８５】
なお、上記のフレームレートや露出値、倍率、焦点等の撮像条件は、取得された画像信号に基づいてＣＣＵ５１５３の制御部５１７７によって自動的に設定される。つまり、いわゆるＡＥ（Auto  Exposure）機能、ＡＦ（Auto  Focus）機能及びＡＷＢ（Auto  White  Balance）機能が内視鏡５１１５に搭載される。
【０１８６】
カメラヘッド制御部５１２９は、通信部５１２７を介して受信したＣＣＵ５１５３からの制御信号に基づいて、カメラヘッド５１１９の駆動を制御する。例えば、カメラヘッド制御部５１２９は、撮像画像のフレームレートを指定する旨の情報及び／又は撮像時の露光を指定する旨の情報に基づいて、撮像部５１２３の撮像素子の駆動を制御する。また、例えば、カメラヘッド制御部５１２９は、撮像画像の倍率及び焦点を指定する旨の情報に基づいて、駆動部５１２５を介してレンズユニット５１２１のズームレンズ及びフォーカスレンズを適宜移動させる。カメラヘッド制御部５１２９は、更に、鏡筒５１１７やカメラヘッド５１１９を識別するための情報を記憶する機能を備えてもよい。
【０１８７】
なお、レンズユニット５１２１や撮像部５１２３等の構成を、気密性及び防水性が高い密閉構造内に配置することで、カメラヘッド５１１９について、オートクレーブ滅菌処理に対する耐性を持たせることができる。
【０１８８】
次に、ＣＣＵ５１５３の機能構成について説明する。通信部５１７３は、カメラヘッド５１１９との間で各種の情報を送受信するための通信装置によって構成される。通信部５１７３は、カメラヘッド５１１９から、伝送ケーブル５１７９を介して送信される画像信号を受信する。この際、上記のように、当該画像信号は好適に光通信によって送信され得る。この場合、光通信に対応して、通信部５１７３には、光信号を電気信号に変換する光電変換モジュールが設けられる。通信部５１７３は、電気信号に変換した画像信号を画像処理部５１７５に提供する。
【０１８９】
また、通信部５１７３は、カメラヘッド５１１９に対して、カメラヘッド５１１９の駆動を制御するための制御信号を送信する。当該制御信号も光通信によって送信されてよい。
【０１９０】
画像処理部５１７５は、カメラヘッド５１１９から送信されたＲＡＷデータである画像信号に対して各種の画像処理を施す。当該画像処理としては、例えば現像処理、高画質化処理（帯域強調処理、超解像処理、ＮＲ（Noise  reduction）処理及び／又は手ブレ補正処理等）、並びに／又は拡大処理（電子ズーム処理）等、各種の公知の信号処理が含まれる。また、画像処理部５１７５は、ＡＥ、ＡＦ及びＡＷＢを行うための、画像信号に対する検波処理を行う。
【０１９１】
画像処理部５１７５は、ＣＰＵやＧＰＵ等のプロセッサによって構成され、当該プロセッサが所定のプログラムに従って動作することにより、上述した画像処理や検波処理が行われ得る。なお、画像処理部５１７５が複数のＧＰＵによって構成される場合には、画像処理部５１７５は、画像信号に係る情報を適宜分割し、これら複数のＧＰＵによって並列的に画像処理を行う。
【０１９２】
制御部５１７７は、内視鏡５１１５による術部の撮像、及びその撮像画像の表示に関する各種の制御を行う。例えば、制御部５１７７は、カメラヘッド５１１９の駆動を制御するための制御信号を生成する。この際、撮像条件がユーザによって入力されている場合には、制御部５１７７は、当該ユーザによる入力に基づいて制御信号を生成する。あるいは、内視鏡５１１５にＡＥ機能、ＡＦ機能及びＡＷＢ機能が搭載されている場合には、制御部５１７７は、画像処理部５１７５による検波処理の結果に応じて、最適な露出値、焦点距離及びホワイトバランスを適宜算出し、制御信号を生成する。
【０１９３】
また、制御部５１７７は、画像処理部５１７５によって画像処理が施された画像信号に基づいて、術部の画像を表示装置５１５５に表示させる。この際、制御部５１７７は、各種の画像認識技術を用いて術部画像内における各種の物体を認識する。例えば、制御部５１７７は、術部画像に含まれる物体のエッジの形状や色等を検出することにより、鉗子等の術具、特定の生体部位、出血、エネルギー処置具５１３５使用時のミスト等を認識することができる。制御部５１７７は、表示装置５１５５に術部の画像を表示させる際に、その認識結果を用いて、各種の手術支援情報を当該術部の画像に重畳表示させる。手術支援情報が重畳表示され、術者５１８１に提示されることにより、より安全かつ確実に手術を進めることが可能になる。
【０１９４】
カメラヘッド５１１９及びＣＣＵ５１５３を接続する伝送ケーブル５１７９は、電気信号の通信に対応した電気信号ケーブル、光通信に対応した光ファイバ、又はこれらの複合ケーブルである。
【０１９５】
ここで、図示する例では、伝送ケーブル５１７９を用いて有線で通信が行われていたが、カメラヘッド５１１９とＣＣＵ５１５３との間の通信は無線で行われてもよい。両者の間の通信が無線で行われる場合には、伝送ケーブル５１７９を手術室内に敷設する必要がなくなるため、手術室内における医療スタッフの移動が当該伝送ケーブル５１７９によって妨げられる事態が解消され得る。
【０１９６】
以上、本開示に係る技術が適用され得る手術室システム５１００の一例について説明した。なお、ここでは、一例として手術室システム５１００が適用される医療用システムが内視鏡手術システム５１１３である場合について説明したが、手術室システム５１００の構成はかかる例に限定されない。例えば、手術室システム５１００は、内視鏡手術システム５１１３に代えて、検査用軟性内視鏡システムや顕微鏡手術システムに適用されてもよい。
【０１９７】
本開示に係る技術は、以上説明した応用例のうち、手術に関連する情報の表示にも好適に適用され得る。手術に関連する情報としては、手術のフェーズ情報が挙げられる。フェーズとは手術における段階を示すものである。手術においては、各フェーズで医師が何を行うかの情報は予め手術室システム５１００に登録しておくのが通常であり、手術はフェーズの内容に沿って行なわれる。
【０１９８】
手術を撮影している状態において、手術中にユーザ（手術を行う医師など）が手術の一のフェーズから次のフェーズに移行する際にフットスイッチ５１７１に対して入力を行うことにより、動画に対してメタ情報としてのフェーズ情報を付加することができる。
【０１９９】
また、ユーザが手術中に使用するカメラヘッド（カメラヘッドセット、ウェアラブルカメラなどとも称される）がアサイナブルボタンを備える場合、そのアサイナブルボタンに対して入力を行うことにより動画にメタ情報としてのフェーズ情報を付加することができるようにしてもよい。
【０２００】
そして、手術終了後に手術室システム５１００から端末装置２００にプロキシファイルが送信された後、端末装置２００を用いた動画編集において、図１７Ａ、図１７Ｂに示すようにフレーム表示エリア３００において、フレーム画像とともにメタ情報表示エリア３０５にフェーズ情報を表示するようにする。これにより、ユーザはフェーズ情報を参照しながらイン点およびアウト点の指定を行うことができる。なお、図１７Ａに示すように１つのフェーズごとに１つのフレーム画像を表示してもよいし、フェーズの長さ、フェーズ内での被写体の状態などに応じて図１７Ｂに示すように複数のフレーム画像で同一のフェーズを表示するようにしてもよい。
【０２０１】
また、手術に関連する情報として、手術を受ける患者についてのバイタル情報、例えば、手術中における患者の血圧、脈拍、呼吸速度、心拍数、体温、脳波などをメタ情報として動画に付加しておき、図１７Ｂに示すようにフレーム表示エリアにフレーム画像とともにそれらバイタル情報を表示するようにしてもよい。
【０２０２】
さらに、手術に関連する情報として、医療機器の使用状況、例えば電気メスのオンオフの情報をメタ情報として動画に付加しておき、図１７Ｃに示すように、フレーム表示エリアにフレーム画像とともに電気メスのオンオフ情報を表示するようにしてもよい。
【０２０３】
上述の第３の実施の形態において複数の撮像装置により同時に撮影された動画を１つのフレーム表示エリアに並べて表示する例について説明を行った。この表示態様は上述の手術室システム５１００にも適用することが可能である。例えば、図１９に示すように、内視鏡５１１５により撮影された動画を上段の第１の横軸上に表示し、術場カメラ５１８９により撮影された動画を下段の第２の横軸上に表示するなどである。
【０２０４】
＜５．変形例＞
以上、本技術の実施の形態について具体的に説明したが、本技術は上述の実施の形態に限定されるものではなく、本技術の技術的思想に基づく各種の変形が可能である。
【０２０５】
実施の形態では、フレーム表示エリア３００に所定の時間間隔を開けて抽出された特定のフレーム画像が並べて表示されているが、フレーム画像は時間間隔以外の基準で抽出されたものを表示してもよい。例えば、シーン検出機能により検出された各シーンの先頭のフレーム画像を表示してもよい。
【０２０６】
実施の形態で説明したフレーム画像間の時間間隔の変更を指示する入力はピンチイン操作およびピンチアウト操作に限られない。例えば、ダブルタップ入力でフレーム画像間の時間間隔が小さくなり、トリプルタップ入力でフレーム画像間の時間間隔が大きくなるようにしてもよい。また、タッチパネルが操作する指などの押圧力を検出可能な場合、その押圧力の大きさに応じてフレーム画像間の時間間隔を変更してもよい。
【０２０７】
フレーム表示エリア３００に複数のフレーム画像が表示されている場合において、ユーザが入力により指定したフレーム画像のみを高解像度で表示し、それ以外のフレーム画像を低解像度で荒くして表示するようにしてもよい。これにより、フレーム表示エリア３００に表示されているフレーム画像から動画の構成や流れを把握しつつ、ユーザが見たいところだけを詳しく見ることができる。
【０２０８】
図２０に示すように、端末装置２００の表示部２０６には実施の形態で説明したユーザインターフェースに加え、動画の再生、停止、一時停止などを行うためのコントロールバー３１１、編集後の動画を表示するエリア３１２、動画の編集や加工を行うエリア３１３などを同時に表示してもよい。
【０２０９】
第２の実施の形態と第３の実施の形態を組み合わせて、複数台の撮像装置によるプロキシ動画の表示にメタ情報の表示を加えてもよい。
【０２１０】
実施の形態では端末装置２００の入力部２０７は表示部２０６と一体に構成されたタッチパネルであるとして説明を行ったが、入力部２０７はタッチパネル以外にもマウスなどであってもよい。例えば、入力部２０７がマウスである場合にはユーザがマウスでポインタを操作し、インジケータ上でクリック操作を行うと、インジケータが存在する方向に画面をスクロールさせて、フレーム画像を表示させることができる。また、ユーザがマウスでポインタを操作し、スライダを動かすと、スライダの移動方向と同方向にフレーム表示エリアがスクロールする。
【０２１１】
本技術は以下のような構成も取ることができる。
（１）
表示部を備える装置において動作し、前記表示部を備える装置とは異なる他の装置で撮影された動画よりもデータサイズが小さい動画を構成する複数の特定のフレーム画像を前記表示部に表示させる
情報処理装置。
（２）
前記特定のフレーム画像は、前記複数の連続するフレーム画像から一定の間隔を開けて抽出されたフレーム画像である（１）に記載の情報処理装置。
（３）
前記表示部に表示されている複数の前記特定のフレーム画像のうちの一のフレーム画像に対して前記ユーザから前記一定の間隔としての時間間隔の変更を指示する所定の入力がなされると前記一定の間隔を変化させて前記フレーム画像を表示させる（２）に記載の情報処理装置。
（４）
前記表示部は入力部と一体的に構成されたタッチパネルであり、
前記所定の入力は、前記タッチパネルに対して行なわれる前記一のフレーム画像を略中心としたピンチイン操作またはピンチアウト操作である（３）に記載の情報処理装置。
（５）
前記所定の入力がピンチイン操作である場合、前記時間間隔を小さくする（４）に記載の情報処理装置。
（６）
前記所定の入力がピンチアウト操作である場合、前記時間間隔を大きくする（４）に記載の情報処理装置。
（７）
前記一のフレーム画像に対するユーザからのピンチイン操作に応じて前記時間間隔を小さくして前記フレーム画像を表示させた場合に、前記一のフレーム画像は表示位置を固定された状態で表示される（５）に記載の情報処理装置。
（８）
前記一のフレーム画像に対する前記ユーザからのピンチアウト操作に応じて前記時間間隔を大きくして前記フレーム画像を表示させた場合に、前記一のフレーム画像は表示位置を固定された状態で表示される（６）に記載の情報処理装置。
（９）
前記フレーム画像の表示とともに該フレーム画像に対応するメタ情報を前記表示部に表示させる（１）から（８）のいずれかに記載の情報処理装置。
（１０）
前記特定のフレーム画像は、前記複数の連続するフレーム画像から前記メタ情報に基づいて抽出されたフレーム画像である（９）に記載の情報処理装置。
（１１）
前記メタ情報は、前記表示部を備える装置とは異なる他の装置で取得されたものである（９）または（１０）に記載の情報処理装置。
（１２）
前記動画は前記表示部を備える装置とは異なる１または複数の他の装置で撮影された動画である（１）から（１１）のいずれかに記載の情報処理装置。
（１３）
前記ユーザからの前記動画を編集するための編集点情報の入力を受け付け、
前記編集点情報を前記他の装置に送信する（１）から（１２）のいずれかに記載の情報処理装置。
（１４）
前記編集点情報は前記動画中におけるシーンの開始点を示すイン点および終了点を示すアウト点となるフレーム画像を示す情報である（１３）に記載の情報処理装置。
（１５）
前記表示部に表示された、前記イン点となる前記フレーム画像と前記アウト点となる前記フレーム画像を強調して表示する（１４）に記載の情報処理装置。
（１６）
前記編集点情報は、前記イン点となる前記フレーム画像より所定時間前の再生されるフレーム画像および前記アウト点となる前記フレーム画像より所定時間後に再生されるフレーム画像を含む（１５）に記載の情報処理装置。
（１７）
前記イン点となる前記フレーム画像と前記アウト点となる前記フレーム画像に対する強調表示を維持する（１６）に記載の情報処理装置。
（１８）
前記動画は手術を撮影した動画であり、前記動画を構成するフレーム画像と共に、前記手術に関連した情報を前記表示部に表示させる（１）から（１７）のいずれかに記載の情報処理装置。
（１９）
表示部を備える装置において、前記表示部を備える装置とは異なる他の装置で撮影された動画よりもデータサイズが小さい動画を構成する複数の特定のフレーム画像を前記表示部に表示させる
情報処理方法。
（２０）
表示部を備える装置において、前記表示部を備える装置とは異なる他の装置で撮影された動画よりもデータサイズが小さい動画を構成する複数の特定のフレーム画像を前記表示部に表示させる情報処理方法をコンピュータに実行させる
情報処理プログラム。
【符号の説明】
【０２１２】
１００・・・撮像装置
２００・・・端末装置
２０６・・・表示部
２０８・・・情報処理部
【図１】
2018212013.tif 000003
【図２】
2018212013.tif 000004
【図３】
2018212013.tif 000005
【図４】
2018212013.tif 000006
【図５】
2018212013.tif 000007
【図６】
2018212013.tif 000008
【図７】
2018212013.tif 000009
【図８】
2018212013.tif 000010
【図９】
2018212013.tif 000011
【図１０】
2018212013.tif 000012
【図１１】
2018212013.tif 000013
【図１２】
2018212013.tif 000014
【図１３】
2018212013.tif 000015
【図１４】
2018212013.tif 000016
【図１５】
2018212013.tif 000017
【図１６】
2018212013.tif 000018
【図１７】
2018212013.tif 000019
【図１８】
2018212013.tif 000020
【図１９】
2018212013.tif 000021
【図２０】
2018212013.tif 000022
【国際調査報告】
2018212013.tif 000023
2018212013.tif 000024
2018212013.tif 000025
2018212013.tif 000026